(57)【要約】【課題】利用者の負担を増加させることなく、表示する画像毎の表示時間を自動的に設定する。【解決手段】複数の画像を順次表示する電子アルバム表示システムであって、複数の画像のそれぞれを画像情報に対応付けて格納している画像格納部と、複数の画像のうち、それぞれの画像における画像情報の関連度が基準値以上である少なくとも一部の画像を画像グループとして選択する画像選択部と、一の画像グループに含まれる画像のうち最初に表示される画像における表示時間が、直前に表示される他の画像グループに含まれる画像における平均の表示時間より長くなるべく、当該一の画像グループに含まれる画像の表示時間を設定する表示時間設定部と、画像グループに含まれる画像を、設定された表示時間に従って順次表示する画像表示部とを備える電子アルバム表示システムを提供する。【選択図】図１
2005348371.tif 000002
【特許請求の範囲】
【請求項１】
複数の画像を順次表示する電子アルバム表示システムであって、
前記複数の画像のそれぞれを、当該画像に固有の情報である画像情報に対応付けて格納している画像格納部と、
前記複数の画像のうち、それぞれの前記画像における前記画像情報の関連度が予め定められた基準値以上である、予め定められた表示スケジュールの順に表示される少なくとも一部の前記画像を、画像グループとして選択する画像選択部と、
前記画像選択部により選択された一の前記画像グループに含まれる前記画像のうち、最初に表示される前記画像における表示時間が、当該一の画像グループの直前に表示される他の前記画像グループに含まれる画像における平均の表示時間より長くなるべく、当該一の画像グループに含まれる前記画像のそれぞれにおける表示時間を設定する表示時間設定部と、
前記画像選択部により選択された前記画像グループに含まれる前記画像のそれぞれを、前記表示時間設定部により設定された表示時間に従って順次表示する画像表示部と
を備える電子アルバム表示システム。
【請求項２】
前記画像格納部は、前記複数の画像のそれぞれを、当該画像の撮像日時を示す撮像日時情報に対応付けて格納しており、
前記画像選択部は、前記複数の画像のうち、前後する２つの前記画像における撮像日時の差が予め定められた基準値以下である一連の前記画像を、画像グループとして選択する
請求項１に記載の電子アルバム表示システム。
【請求項３】
前記画像格納部は、前記複数の画像のそれぞれを、当該画像の撮像日時を示す撮像日時情報に対応付けて格納しており、
前記表示時間設定部は、一の前記画像における表示時間を、当該一の画像における撮像日時、及び当該一の画像の直前に表示される他の前記画像における撮像日時の差がより大きい場合に、より長い表示時間として設定する
請求項１に記載の電子アルバム表示システム。
【請求項４】
前記画像格納部は、前記複数の画像のそれぞれを、当該画像の撮像地点を示す撮像地点情報に対応付けて格納しており、
前記画像選択部は、前記複数の画像のうち、前後する２つの前記画像における撮像地点の差が予め定められた基準値以下である一連の前記画像を、画像グループとして選択する
請求項１に記載の電子アルバム表示システム。
【請求項５】
前記画像格納部は、前記複数の画像のそれぞれを、当該画像の撮像地点を示す撮像地点情報に対応付けて格納しており、
前記表示時間設定部は、一の前記画像における表示時間を、当該一の画像における撮像地点、及び当該一の画像の直前に表示される他の前記画像における撮像地点の差がより大きい場合に、より長い表示時間として設定する
請求項１に記載の電子アルバム表示システム。
【請求項６】
前記表示時間設定部は、前記画像グループに含まれる前記画像の数がより多い場合に、当該画像グループに含まれる前記画像における平均の表示時間がより短くなるべく、当該画像グループに含まれる前記画像のそれぞれにおける表示時間を設定する請求項１に記載の電子アルバム表示システム。
【請求項７】
前記画像格納部は、前記複数の画像のそれぞれを、当該画像に被写体として含まれる人物の数に対応付けて格納しており、
前記表示時間設定部は、前記画像における表示時間を、当該画像に被写体として含まれる人物の数がより多い場合に、より長い表示時間として設定する
請求項１に記載の電子アルバム表示システム。
【請求項８】
複数の画像を順次表示する電子アルバム表示システムであって、
前記複数の画像のそれぞれを、当該画像に固有の情報である画像情報に対応付けて格納している画像格納部と、
予め定められた表示スケジュールに従って、前記複数の画像から、前記画像を順次選択する画像選択部と、
前記複数の画像が早送りして表示される場合に、前記画像選択部により選択された前記画像が表示されるか否かを、当該画像に対応する前記画像情報、及び現在表示されている前記画像に対応する前記画像情報の関連度に基づいて判定する表示判定部と、
前記画像選択部により選択された前記画像が表示されると前記表示判定部により判定された場合に、当該画像を表示する画像表示部と
を備える電子アルバム表示システム。
【請求項９】
前記画像格納部は、前記複数の画像のそれぞれを、当該画像の撮像日時を示す撮像日時情報に対応付けて格納しており、
前記表示判定部は、前記複数の画像が早送りして表示される場合に、前記画像選択部により選択された前記画像における撮像日時、及び現在表示されている前記画像における撮像日時の差がより大きい程、より高い確率で、前記画像選択部により選択された前記画像が表示されると判定する
請求項８に記載の電子アルバム表示システム。
【請求項１０】
前記画像格納部は、前記複数の画像のそれぞれを、当該画像の撮像地点を示す撮像地点情報に対応付けて格納しており、
前記表示判定部は、前記複数の画像が早送りして表示される場合に、前記画像選択部により選択された前記画像における撮像地点、及び現在表示されている前記画像における撮像地点の差がより大きい程、より高い確率で、前記画像選択部により選択された前記画像が表示されると判定する
請求項８に記載の電子アルバム表示システム。
【請求項１１】
前記画像選択部は、前記複数の画像のうち、それぞれの前記画像における前記画像情報の関連度が予め定められた基準値以上である、予め定められた表示スケジュールの順に表示される少なくとも一部の画像を、画像グループとして選択し、
前記表示判定部は、前記複数の画像が早送りして表示される場合に、前記画像グループに含まれる前記画像のうち、一部の前記画像に対して表示されると判定すると共に、他の前記画像に対して表示されないと判定し、
前記画像表示部は、前記画像グループに含まれる前記画像のうち、表示されると前記表示判定部により判定された前記一部の画像を順次表示する
請求項８に記載の電子アルバム表示システム。  
【請求項１２】
複数の画像を順次表示する電子アルバム表示システムであって、
前記複数の画像を格納している画像格納部と、
前記複数の画像の表示における早送り倍率を取得する早送り倍率取得部と、
前記複数の画像のうち、前記早送り倍率がより大きい程、予め定められた表示スケジュールの順に表示される、より多くの画像を、同時に表示される画像として選択する画像選択部と、
前記画像選択部により選択されたすべての画像を縮小すると共に、縮小したすべての画像を並べて、１枚の画像に合成する画像合成部と、
合成された画像を表示する画像表示部と
を備える電子アルバム表示システム。
【請求項１３】
複数の画像を順次表示する電子アルバム表示方法であって、
画像格納部は、前記複数の画像のそれぞれを、当該画像に固有の情報である画像情報に対応付けて格納しており、
当該電子アルバム表示方法は、
前記複数の画像のうち、それぞれの前記画像における前記画像情報の関連度が予め定められた基準値以上である、予め定められた表示スケジュールの順に表示される少なくとも一部の前記画像を、画像グループとして選択する画像選択段階と、
前記画像選択段階において選択された一の前記画像グループに含まれる前記画像のうち、最初に表示される前記画像における表示時間が、当該一の画像グループの直前に表示される他の前記画像グループに含まれる画像における平均の表示時間より長くなるべく、当該一の画像グループに含まれる前記画像のそれぞれにおける表示時間を設定する表示時間設定段階と、
前記画像選択段階において選択された前記画像グループに含まれる前記画像のそれぞれを、前記表示時間設定段階において設定された表示時間に従って順次表示する画像表示段階と
を備える電子アルバム表示方法。
【請求項１４】
複数の画像を順次表示する電子アルバム表示方法であって、
画像格納部は、前記複数の画像のそれぞれを、当該画像に固有の情報である画像情報に対応付けて格納しており、
当該電子アルバム表示方法は、
予め定められた表示スケジュールに従って、前記複数の画像から、前記画像を順次選択する画像選択段階と、
前記複数の画像が早送りして表示される場合に、前記画像選択段階において選択された前記画像が表示されるか否かを、当該画像に対応する前記画像情報、及び現在表示されている前記画像に対応する前記画像情報の関連度に基づいて判定する表示判定段階と、
前記画像選択段階において選択された前記画像が表示されると前記表示判定段階において判定された場合に、当該画像を表示する画像表示段階と
を備える電子アルバム表示方法。
【請求項１５】
複数の画像を順次表示する電子アルバム表示方法であって、
画像格納部は、前記複数の画像を格納しており、
当該電子アルバム表示方法は、
前記複数の画像の表示における早送り倍率を取得する早送り倍率取得段階と、
前記複数の画像のうち、前記早送り倍率がより大きい程、予め定められた表示スケジュールの順に表示される、より多くの画像を、同時に表示される画像として選択する画像選択段階と、
前記画像選択段階において選択されたすべての画像を縮小すると共に、縮小したすべての画像を並べて、１枚の画像に合成する画像合成段階と、
合成された画像を表示する画像表示段階と
を備える電子アルバム表示方法。
【請求項１６】
複数の画像を順次表示する電子アルバム表示システムとしてコンピュータを機能させる電子アルバム表示プログラムであって、
前記コンピュータを、
前記複数の画像のそれぞれを、当該画像に固有の情報である画像情報に対応付けて格納している画像格納部と、
前記複数の画像のうち、それぞれの前記画像における前記画像情報の関連度が予め定められた基準値以上である、予め定められた表示スケジュールの順に表示される少なくとも一部の前記画像を、画像グループとして選択する画像選択部と、
前記画像選択部により選択された一の前記画像グループに含まれる前記画像のうち、最初に表示される前記画像における表示時間が、当該一の画像グループの直前に表示される他の前記画像グループに含まれる画像における平均の表示時間より長くなるべく、当該一の画像グループに含まれる前記画像のそれぞれにおける表示時間を設定する表示時間設定部と、
前記画像選択部により選択された前記画像グループに含まれる前記画像のそれぞれを、前記表示時間設定部により設定された表示時間に従って順次表示する画像表示部と
を備える電子アルバム表示システムとして機能させる電子アルバム表示プログラム。
【請求項１７】
複数の画像を順次表示する電子アルバム表示システムとしてコンピュータを機能させる電子アルバム表示プログラムであって、
前記コンピュータを、
前記複数の画像のそれぞれを、当該画像に固有の情報である画像情報に対応付けて格納している画像格納部と、
予め定められた表示スケジュールに従って、前記複数の画像から、前記画像を順次選択する画像選択部と、
前記複数の画像が早送りして表示される場合に、前記画像選択部により選択された前記画像が表示されるか否かを、当該画像に対応する前記画像情報、及び現在表示されている前記画像に対応する前記画像情報の関連度に基づいて判定する表示判定部と、
前記画像選択部により選択された前記画像が表示されると前記表示判定部により判定された場合に、当該画像を表示する画像表示部と
を備える電子アルバム表示システムとして機能させる電子アルバム表示プログラム。
【請求項１８】
複数の画像を順次表示する電子アルバム表示システムとしてコンピュータを機能させる電子アルバム表示プログラムであって、
前記コンピュータを、
前記複数の画像を格納している画像格納部と、
前記複数の画像の表示における早送り倍率を取得する早送り倍率取得部と、
前記複数の画像のうち、前記早送り倍率がより大きい程、予め定められた表示スケジュールの順に表示される、より多くの画像を、同時に表示される画像として選択する画像選択部と、
前記画像選択部により選択されたすべての画像を縮小すると共に、縮小したすべての画像を並べて、１枚の画像に合成する画像合成部と、
合成された画像を表示する画像表示部と
を備える電子アルバム表示システムとして機能させる電子アルバム表示プログラム。
【発明の詳細な説明】
【技術分野】
【０００１】
本発明は、電子アルバム表示システム、電子アルバム表示方法、及び電子アルバム表示プログラムに関する。特に本発明は、複数の画像を順次表示する電子アルバム表示システム、電子アルバム表示方法、及び電子アルバム表示プログラムに関する。
【背景技術】
【０００２】
従来、複数の画像を、スライドショーにより順次表示する電子アルバム表示システムが知られている（例えば、特許文献１参照。）。また、スライドショーにより表示する画像毎の表示時間を、利用者が設定することのできる電子アルバム表示システムが製品化されている。
【０００３】
【特許文献１】特開平９−２２４１６
【発明の開示】
【発明が解決しようとする課題】
【０００４】
しかしながら、表示する画像毎の表示時間を、利用者が手動で設定する電子アルバム表示システムにおいて、表示する画像の数が多い場合、画像毎の内容を確認すると共に、当該画像の表示時間を設定することは、利用者にとって大きな負担になっていた。このため、画像の数が多い場合には、利用者が画像毎に表示時間を設定せずに、すべての画像について一様な表示時間が適用される場合も多く、利用者にとっての重要度の高低を表示時間に反映した、品質の高いスライドショーを表示することができていなかった。
【０００５】
そこで本発明は、上記の課題を解決することができる電子アルバム表示システム、電子アルバム表示方法、及び電子アルバム表示プログラムを提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の形態においては、複数の画像を順次表示する電子アルバム表示システムであって、複数の画像のそれぞれを、当該画像に固有の情報である画像情報に対応付けて格納している画像格納部と、複数の画像のうち、それぞれの画像における画像情報の関連度が予め定められた基準値以上である、予め定められた表示スケジュールの順に表示される少なくとも一部の画像を、画像グループとして選択する画像選択部と、画像選択部により選択された一の画像グループに含まれる画像のうち、最初に表示される画像における表示時間が、当該一の画像グループの直前に表示される他の画像グループに含まれる画像における平均の表示時間より長くなるべく、当該一の画像グループに含まれる画像のそれぞれにおける表示時間を設定する表示時間設定部と、画像選択部により選択された画像グループに含まれる画像のそれぞれを、表示時間設定部により設定された表示時間に従って順次表示する画像表示部とを備える。
【０００７】
画像格納部は、複数の画像のそれぞれを、当該画像の撮像日時を示す撮像日時情報に対応付けて格納しており、画像選択部は、複数の画像のうち、前後する２つの画像における撮像日時の差が予め定められた基準値以下である一連の画像を、画像グループとして選択してもよい。画像格納部は、複数の画像のそれぞれを、当該画像の撮像日時を示す撮像日時情報に対応付けて格納しており、表示時間設定部は、一の画像における表示時間を、当該一の画像における撮像日時、及び当該一の画像の直前に表示される他の画像における撮像日時の差がより大きい場合に、より長い表示時間として設定してもよい。画像格納部は、複数の画像のそれぞれを、当該画像の撮像地点を示す撮像地点情報に対応付けて格納しており、画像選択部は、複数の画像のうち、前後する２つの画像における撮像地点の差が予め定められた基準値以下である一連の画像を、画像グループとして選択してもよい。画像格納部は、複数の画像のそれぞれを、当該画像の撮像地点を示す撮像地点情報に対応付けて格納しており、表示時間設定部は、一の画像における表示時間を、当該一の画像における撮像地点、及び当該一の画像の直前に表示される他の画像における撮像地点の差がより大きい場合に、より長い表示時間として設定してもよい。表示時間設定部は、画像グループに含まれる画像の数がより多い場合に、当該画像グループに含まれる画像における平均の表示時間がより短くなるべく、当該画像グループに含まれる画像のそれぞれにおける表示時間を設定してもよい。画像格納部は、複数の画像のそれぞれを、当該画像に被写体として含まれる人物の数に対応付けて格納しており、表示時間設定部は、画像における表示時間を、当該画像に被写体として含まれる人物の数がより多い場合に、より長い表示時間として設定してもよい。
【０００８】
また、本発明の第２の形態においては、複数の画像を順次表示する電子アルバム表示システムであって、複数の画像のそれぞれを、当該画像に固有の情報である画像情報に対応付けて格納している画像格納部と、予め定められた表示スケジュールに従って、複数の画像から、画像を順次選択する画像選択部と、複数の画像が早送りして表示される場合に、画像選択部により選択された画像が表示されるか否かを、当該画像に対応する画像情報、及び現在表示されている画像に対応する画像情報の関連度に基づいて判定する表示判定部と、画像選択部により選択された画像が表示されると表示判定部により判定された場合に、当該画像を表示する画像表示部とを備える。
【０００９】
画像格納部は、複数の画像のそれぞれを、当該画像の撮像日時を示す撮像日時情報に対応付けて格納しており、表示判定部は、複数の画像が早送りして表示される場合に、画像選択部により選択された画像における撮像日時、及び現在表示されている画像における撮像日時の差がより大きい程、より高い確率で、画像選択部により選択された画像が表示されると判定してもよい。画像格納部は、複数の画像のそれぞれを、当該画像の撮像地点を示す撮像地点情報に対応付けて格納しており、表示判定部は、複数の画像が早送りして表示される場合に、画像選択部により選択された画像における撮像地点、及び現在表示されている画像における撮像地点の差がより大きい程、より高い確率で、画像選択部により選択された画像が表示されると判定してもよい。画像選択部は、複数の画像のうち、それぞれの画像における画像情報の関連度が予め定められた基準値以上である、予め定められた表示スケジュールの順に表示される少なくとも一部の画像を、画像グループとして選択し、表示判定部は、複数の画像が早送りして表示される場合に、画像グループに含まれる画像のうち、一部の画像に対して表示されると判定すると共に、他の画像に対して表示されないと判定し、画像表示部は、画像グループに含まれる画像のうち、表示されると表示判定部により判定された一部の画像を順次表示してもよい。
【００１０】
また、本発明の第３の形態においては、複数の画像を順次表示する電子アルバム表示システムであって、複数の画像を格納している画像格納部と、複数の画像の表示における早送り倍率を取得する早送り倍率取得部と、複数の画像のうち、早送り倍率がより大きい程、予め定められた表示スケジュールの順に表示される、より多くの画像を、同時に表示される画像として選択する画像選択部と、画像選択部により選択されたすべての画像を縮小すると共に、縮小したすべての画像を並べて、１枚の画像に合成する画像合成部と、合成された画像を表示する画像表示部とを備える。
【００１１】
また、本発明の第４の形態においては、複数の画像を順次表示する電子アルバム表示方法であって、画像格納部は、複数の画像のそれぞれを、当該画像に固有の情報である画像情報に対応付けて格納しており、当該電子アルバム表示方法は、複数の画像のうち、それぞれの画像における画像情報の関連度が予め定められた基準値以上である、予め定められた表示スケジュールの順に表示される少なくとも一部の画像を、画像グループとして選択する画像選択段階と、画像選択段階において選択された一の画像グループに含まれる画像のうち、最初に表示される画像における表示時間が、当該一の画像グループの直前に表示される他の画像グループに含まれる画像における平均の表示時間より長くなるべく、当該一の画像グループに含まれる画像のそれぞれにおける表示時間を設定する表示時間設定段階と、画像選択段階において選択された画像グループに含まれる画像のそれぞれを、表示時間設定段階において設定された表示時間に従って順次表示する画像表示段階とを備える。
【００１２】
また、本発明の第５の形態においては、複数の画像を順次表示する電子アルバム表示方法であって、画像格納部は、複数の画像のそれぞれを、当該画像に固有の情報である画像情報に対応付けて格納しており、当該電子アルバム表示方法は、予め定められた表示スケジュールに従って、複数の画像から、画像を順次選択する画像選択段階と、複数の画像が早送りして表示される場合に、画像選択段階において選択された画像が表示されるか否かを、当該画像に対応する画像情報、及び現在表示されている画像に対応する画像情報の関連度に基づいて判定する表示判定段階と、画像選択段階において選択された画像が表示されると表示判定段階において判定された場合に、当該画像を表示する画像表示段階とを備える。
【００１３】
また、本発明の第６の形態においては、複数の画像を順次表示する電子アルバム表示方法であって、画像格納部は、複数の画像を格納しており、当該電子アルバム表示方法は、複数の画像の表示における早送り倍率を取得する早送り倍率取得段階と、複数の画像のうち、早送り倍率がより大きい程、予め定められた表示スケジュールの順に表示される、より多くの画像を、同時に表示される画像として選択する画像選択段階と、画像選択段階において選択されたすべての画像を縮小すると共に、縮小したすべての画像を並べて、１枚の画像に合成する画像合成段階と、合成された画像を表示する画像表示段階とを備える。
【００１４】
また、本発明の第７の形態においては、複数の画像を順次表示する電子アルバム表示システムとしてコンピュータを機能させる電子アルバム表示プログラムであって、コンピュータを、複数の画像のそれぞれを、当該画像に固有の情報である画像情報に対応付けて格納している画像格納部と、複数の画像のうち、それぞれの画像における画像情報の関連度が予め定められた基準値以上である、予め定められた表示スケジュールの順に表示される少なくとも一部の画像を、画像グループとして選択する画像選択部と、画像選択部により選択された一の画像グループに含まれる画像のうち、最初に表示される画像における表示時間が、当該一の画像グループの直前に表示される他の画像グループに含まれる画像における平均の表示時間より長くなるべく、当該一の画像グループに含まれる画像のそれぞれにおける表示時間を設定する表示時間設定部と、画像選択部により選択された画像グループに含まれる画像のそれぞれを、表示時間設定部により設定された表示時間に従って順次表示する画像表示部とを備える電子アルバム表示システムとして機能させる。
【００１５】
また、本発明の第８の形態においては、複数の画像を順次表示する電子アルバム表示システムとしてコンピュータを機能させる電子アルバム表示プログラムであって、コンピュータを、複数の画像のそれぞれを、当該画像に固有の情報である画像情報に対応付けて格納している画像格納部と、予め定められた表示スケジュールに従って、複数の画像から、画像を順次選択する画像選択部と、複数の画像が早送りして表示される場合に、画像選択部により選択された画像が表示されるか否かを、当該画像に対応する画像情報、及び現在表示されている画像に対応する画像情報の関連度に基づいて判定する表示判定部と、画像選択部により選択された画像が表示されると表示判定部により判定された場合に、当該画像を表示する画像表示部とを備える電子アルバム表示システムとして機能させる。
【００１６】
また、本発明の第９の形態においては、複数の画像を順次表示する電子アルバム表示システムとしてコンピュータを機能させる電子アルバム表示プログラムであって、コンピュータを、複数の画像を格納している画像格納部と、複数の画像の表示における早送り倍率を取得する早送り倍率取得部と、複数の画像のうち、早送り倍率がより大きい程、予め定められた表示スケジュールの順に表示される、より多くの画像を、同時に表示される画像として選択する画像選択部と、画像選択部により選択されたすべての画像を縮小すると共に、縮小したすべての画像を並べて、１枚の画像に合成する画像合成部と、合成された画像を表示する画像表示部とを備える電子アルバム表示システムとして機能させる。
【００１７】
なお、上記の発明の概要は、本発明の必要な特徴の全てを列挙したものではなく、これらの特徴群のサブコンビネーションもまた、発明となりうる。
【発明の効果】
【００１８】
本発明によれば、利用者の負担を増加させることなく、表示する画像毎の表示時間を自動的に設定して、利用者にとって見やすいスライドショーを表示することができる。
【発明を実施するための最良の形態】
【００１９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２０】
図１は、本発明の第１の実施形態に係る電子アルバム表示システム１０の構成の一例を示すブロック図である。電子アルバム表示システム１０は、複数の画像をスライドショーとして順次表示する。電子アルバム表示システム１０は、例えば、パーソナルコンピュータ等の情報処理システムであってよく、また、例えば、フラッシュメモリ等の記録媒体に記録された画像データを順次映像信号として出力することのできる映像処理装置と、出力された映像信号を映像として表示することのできる、テレビ受像機等の表示装置とを備える映像処理システムであってもよい。
【００２１】
本発明の第１の実施形態に係る電子アルバム表示システム１０は、スライドショーとして表示する複数の画像のそれぞれにおける表示時間を利用者が手動で設定しなくとも、利用者にとって見やすいスライドショーを表示することを目的とする。
また、本発明の第１の実施形態に係る電子アルバム表示システム１０は、複数の画像を早送りして表示する場合であっても、利用者にとって見やすいスライドショーを表示することを更なる目的とする。
【００２２】
電子アルバム表示システム１０は、画像格納部１００、画像選択部１１０、早送り指示部１２０、表示判定部１３０、表示時間設定部１４０、及び画像表示部１５０を備える。画像格納部１００は、スライドショーにおいて表示される複数の画像のそれぞれを、当該画像に固有の情報である画像情報に対応付けて格納している。画像格納部１００は、例えば、ハードディスクドライブ等の記憶装置であってよく、また、例えば、フラッシュメモリ等の半導体記録媒体、ＣＤ−ＲＯＭ等の光学記録媒体、若しくはＭＯ等の光磁気記録媒体といった記録媒体を用いる記録装置であってもよい。また、それぞれの画像に対応付けられた画像情報とは、例えば、当該画像の撮像日時を示す撮像日時情報や、当該画像の撮像地点を示す撮像地点情報等であってよい。
【００２３】
画像選択部１１０は、画像格納部１００に格納されている複数の画像のうち、それぞれの画像における画像情報の関連度が予め定められた基準値以上である、予め定められた表示スケジュールの順に表示される少なくとも一部の画像を、画像グループとして選択する。ここで、予め定められた表示スケジュールとは、スライドショーにおける複数の画像の表示順序等を含む情報である。そして、画像選択部１１０は、選択した画像グループに含まれる画像、及びそれぞれの画像に対応する画像情報を、表示判定部１３０に出力する。
【００２４】
早送り指示部１２０は、スライドショーによる画像の表示を早送りして行うか否かを、利用者の指示に基づいて決定し、決定結果を表示判定部１３０に通知する。表示判定部１３０は、複数の画像が早送りして表示される場合に、画像選択部１１０により選択された画像グループに含まれる画像のうち、一部の画像に対して表示されると判定すると共に、他の画像に対して表示されないと判定する。また、表示判定部１３０は、複数の画像が早送りして表示されない場合、画像選択部１１０により選択された画像グループに含まれる画像のすべてに対して表示されると判定する。そして、表示判定部１３０は、表示されると判定した画像、及びそれぞれの画像に対応する画像情報を、表示時間設定部１４０に出力する。
【００２５】
表示時間設定部１４０は、画像選択部１１０により選択された一の画像グループに含まれる、表示されると表示判定部１３０により判定された画像のうち、最初に表示される画像における表示時間が、当該一の画像グループの直前に表示される他の画像グループに含まれる、表示されると表示判定部１３０により判定された画像における平均の表示時間より長くなるべく、当該一の画像グループに含まれる、表示されると判定された画像のそれぞれにおける表示時間を設定する。そして、表示時間設定部１４０は、表示されると判定された画像、及びそれぞれの画像について設定した表示時間を、画像表示部１５０に出力する。画像表示部１５０は、画像選択部１１０により選択された画像グループに含まれる画像のうち、表示されると表示判定部１３０により判定された画像のそれぞれを、当該画像について表示時間設定部１４０により設定された表示時間に従って順次表示する。
【００２６】
本発明の第１の実施形態に係る電子アルバム表示システム１０によれば、スライドショーにおいて、画像情報の関連度の高い画像群である画像グループの境界を跨いで、画像を切り替えて表示する場合、つまり、先に表示していた画像との関連度が低い画像に表示を切り替える場合に、切り替えた画像を、より長い時間表示することができる。これにより、利用者は、画像情報の関連度の高い、似通った画像が続けて表示された場合には短い時間で画像を見る一方で、似通っていない画像が表示された場合には、長い時間をかけて画像を見ることができる。このため、利用者が手動で画像毎の表示時間を設定しなくとも、利用者にとって見やすいスライドショーを表示することができると共に、スライドショー全体の表示時間が不要に長くなることを防止することができる。
【００２７】
また、スライドショーにおいて画像を早送りして表示する場合に、すべての画像における表示時間を、例えば１／２等に短縮することにより、スライドショー全体の表示時間を短縮すると、利用者は、何れの画像についても十分に長い時間をかけて見ることができず、表示されたスライドショーを非常に見づらいと感じてしまう。これに対し、本発明の第１の実施形態に係る電子アルバム表示システム１０によれば、早送りして画像を表示する場合であっても、すべての画像を表示するのではなく、画像情報の関連度が高い画像群である画像グループのそれぞれに含まれる一部の画像のみを、例えば通常のスライドショーにおける表示時間と略同一の表示時間で表示することができる。これにより、利用者に、複数の画像グループにより構成されるスライドショー全体の内容は十分に把握させながらも、スライドショー全体の表示時間を短縮することができる。
【００２８】
なお、上記の説明において、画像選択部１１０は、画像グループを選択するとして説明したが、これに代えて、画像選択部１１０は、画像格納部１００に格納されている複数の画像から、予め定められた表示スケジュールに従って画像を順次選択してもよい。この場合、表示判定部１３０は、複数の画像を早送りして表示する場合に、画像選択部１１０により選択された画像を表示するか否かを、当該画像に対応する画像情報と、現在、画像表示部１５０により表示されている画像に対応する画像情報との関連度に基づいて判定する。具体的には、表示判定部１３０は、選択された画像に対応する画像情報と、現在表示されている画像に対応する画像情報との関連度がより低い場合に、より高い確率で画像を表示すると判定する。
【００２９】
また、表示判定部１３０は、複数の画像が早送りして表示されない場合には、画像選択部１１０により選択されたすべての画像に対して表示されると判定する。そして、表示時間設定部１４０は、表示されると表示判定部１３０により判定された画像の表示時間を、当該画像に対応する画像情報と、現在表示されている画像に対応する画像情報との関連度に基づいて設定する。具体的には、表示時間設定部１４０は、表示されると判定された画像の表示時間を、当該画像に対応する画像情報と、現在表示されている画像情報との関連度が低い場合に、より長い表示時間として設定する。そして、画像表示部１５０は、表示されると表示判定部１３０により判定された画像を、当該画像について表示時間設定部１４０により設定された表示時間だけ表示する。
【００３０】
この場合、表示している画像に続いて表示する画像について、表示している画像との関連度が低い画像を、関連度が高い画像に比べてより長い時間表示することにより、利用者に、似通った画像は短い時間で見せる一方、似通っていない画像については長い時間をかけて見せることができるので、利用者にとって見やすいスライドショーを表示することができる。
また、早送りで画像を表示する場合であっても、表示している画像との関連度が低い画像を、関連度が高い画像に比べてより高い確率で表示することにより、利用者に、スライドショー全体の内容は十分に把握させながらも、スライドショー全体の表示時間を短縮することができる。
【００３１】
図２は、本発明の第１の実施形態に係る画像格納部１００の第１の例を示す。画像格納部１００は、複数の画像のそれぞれを、画像情報の一例である、当該画像の撮像日時を示す撮像日時情報に対応付けて格納している。ここで、撮像日時情報とは、例えば、デジタルカメラがそれぞれの画像を撮像した際に、当該デジタルカメラが備えるカレンダー機能及び時計機能により取得された情報であってよい。また、撮像日時情報は、例えば、それぞれの画像におけるＥｘｉｆ（Ｅｘｃｈａｎｇａｂｌｅ  ｉｍａｇｅ  ｆｉｌｅ）フォーマットのタグ情報として、当該画像に対応付けて格納されていてよい。
【００３２】
そして、画像選択部１１０は、複数の画像のうち、前後する２つの画像における撮像日時の差が、例えば１日等の予め定められた基準値以下である一連の画像を、画像グループとして選択する。撮像日時が偏っている画像群は、例えば旅行中に撮像した画像など、画像の内容においてもまとまりのある画像である場合が多い。このため、撮像日時に偏りがある画像を画像グループとして選択すると共に、利用者に、画像グループにおける一部の画像を、長い時間をかけて見せる一方で、他の画像を短い時間で見せることにより、利用者に、スライドショーを見て、画像を撮像した場面等について回想するといった楽しみを十分に提供しながらも、スライドショー全体の表示時間が不要に長くなることを防止することができる。
【００３３】
また、表示時間設定部１４０は、撮像日時情報に基づいて、それぞれの画像の表示時間を設定する。例えば、表示時間設定部１４０は、一の画像の撮像日時と、当該一の画像の直前に表示される他の画像の撮像日時との差がより大きい場合に、当該一の画像の表示時間をより長く設定する。また、例えば、表示時間設定部１４０は、一の画像グループに含まれる画像のうち、最初に表示される画像の撮像日時と、当該一の画像グループの直前に表示される他の画像グループに含まれるすべての画像における撮像日時の代表的な値、例えば中央値との差がより大きい場合に、当該一の画像グループに含まれる画像のうち、最初に表示される画像の表示時間を、より長い表示時間として設定する。また、例えば、表示時間設定部１４０は、一の画像グループに含まれるすべての画像における撮像日時の代表的な値、例えば中央値と、当該一の画像グループの直前に表示される他の画像グループに含まれるすべての画像における撮像日時の代表的な値、例えば中央値との差が大きい場合に、当該一の画像グループに含まれる画像における平均の表示時間をより長くするべく、それぞれの画像における表示時間を設定する。
【００３４】
このように、ある画像と、当該画像に先立って表示される画像との撮像日時の差が大きい場合に、当該画像の表示時間をより長くすることにより、撮像日時の偏りというまとまりの異なる画像を切り替えて表示した際に、表示した画像を利用者に注意して見せることのできる、利用者にとってより見やすいスライドショーを表示することができる。
【００３５】
また、表示判定部１３０は、複数の画像が早送りして表示される場合に、画像選択部１１０により選択された画像における撮像日時と、現在表示されている画像における撮像日時との差がより大きい程、より高い確率で、画像選択部１１０により選択された画像が表示されると判定する。例えば、表示判定部１３０が、乱数発生器により発生させた乱数が基準値以上であるならば、選択された画像に対して表示されると判定する場合に、表示判定部１３０は、選択された画像における撮像日時と、現在表示されている画像における撮像日時との差がより大きい程、当該基準値をより小さくしてもよい。これにより、早送りして画像を表示する場合であっても、利用者に、撮像日時におけるまとまりの異なる画像を、より高い頻度で見せることができるので、利用者に、スライドショー全体の内容は十分に把握させながらも、スライドショー全体の表示時間を短縮することができる。
【００３６】
図３は、本発明の第１の実施形態に係る画像格納部１００の第２の例を示す。画像格納部１００は、複数の画像のそれぞれを、画像情報の一例である、当該画像の撮像地点を示す撮像地点情報に対応付けて格納している。ここで、撮像地点情報とは、例えば、デジタルカメラがそれぞれの画像を撮像した際に、当該デジタルカメラが備えるＧＰＳ（Ｇｌｏｂａｌ  Ｐｏｓｉｔｉｏｎｉｎｇ  Ｓｙｓｔｅｍ）機能により取得された、撮像地点の緯度及び経度を示す情報であってよい。また、撮像地点情報は、例えば、それぞれの画像におけるＥｘｉｆ（Ｅｘｃｈａｎｇａｂｌｅ  ｉｍａｇｅ  ｆｉｌｅ）フォーマットのタグ情報として、当該画像に対応付けて格納されていてよい。
【００３７】
そして、画像選択部１１０は、複数の画像のうち、前後する２つの画像における撮像地点の差が、例えば１０ｋｍ等の予め定められた基準値以下である一連の画像を、画像グループとして選択する。撮像地点が偏っている画像群は、例えば旅行中に撮像した画像など、画像の内容においてもまとまりのある画像である場合が多い、このため、撮像地点に偏りがある画像を画像グループとして選択すると共に、利用者に、画像グループにおける一部の画像を、長い時間をかけて見せる一方で、他の画像を短い時間で見せることにより、利用者に、スライドショーを見て、画像を撮像した場面について回想するといった楽しみを十分に提供しながらも、スライドショー全体の表示時間が不要に長くなることを防止することができる。
【００３８】
また、表示時間設定部１４０は、撮像地点情報に基づいて、それぞれの画像の表示時間を設定する。例えば、表示時間設定部１４０は、一の画像の撮像地点と、当該一の画像の直前に表示される他の画像の撮像地点との差がより大きい場合に、当該一の画像の表示時間をより長く設定する。また、例えば、表示時間設定部１４０は、一の画像グループに含まれる画像のうち、最初に表示される画像の撮像地点と、当該一の画像グループの直前に表示される他の画像グループに含まれるすべての画像における撮像地点の代表的な値、例えば中央値との差がより大きい場合に、当該一の画像グループに含まれる画像のうち、最初に表示される画像の表示時間を、より長い表示時間として設定する。また、例えば、表示時間設定部１４０は、一の画像グループに含まれるすべての画像における撮像地点の代表的な値、例えば中央値と、当該一の画像グループの直前に表示される他の画像グループに含まれるすべての画像における撮像地点の代表的な値、例えば中央値との差が大きい場合に、当該一の画像グループに含まれる画像における平均の表示時間をより長くするべく、それぞれの画像における表示時間を設定する。
【００３９】
このように、ある画像と、当該画像に先立って表示される画像との撮像地点の差が大きい場合に、当該画像の表示時間をより長くすることにより、撮像地点の偏りというまとまりの異なる画像を切り替えて表示した際に、表示した画像を利用者に注意して見せることのできる、利用者にとってより見やすいスライドショーを表示することができる。
【００４０】
また、表示判定部１３０は、複数の画像が早送りして表示される場合に、画像選択部１１０により選択された画像における撮像地点と、現在表示されている画像における撮像地点との差がより大きい程、より高い確率で、画像選択部１１０により選択された画像が表示されると判定する。例えば、表示判定部１３０が、乱数発生器により発生させた乱数が基準値以上であるならば、選択された画像に対して表示されると判定する場合に、表示判定部１３０は、選択された画像における撮像地点と、現在表示されている画像における撮像地点との差がより大きい程、当該基準値をより小さくしてもよい。これにより、早送りして画像を表示する場合であっても、利用者に、撮像地点におけるまとまりの異なる画像を、より高い頻度で見せることができるので、利用者に、スライドショー全体の内容は十分に把握させながらも、スライドショー全体の表示時間を短縮することができる。
【００４１】
図４は、本発明の第１の実施形態に係る画像格納部１００の第３の例を示す。画像格納部１００は、複数の画像のそれぞれを、画像情報の一例である、当該画像に被写体として含まれる人物の数に対応付けて格納している。ここで、被写体として含まれる人物の数は、公知の顔画像の認識技術等を用いることにより、複数の画像のそれぞれについて予め算出されると共に、画像格納部１００に格納されていてよく、また、電子アルバム表示システム１０が備える図示しない画像認識手段により、それぞれの画像が画像選択部１１０により選択される前などに、必要となる都度算出されてもよい。
【００４２】
そして、表示時間設定部１４０は、複数の画像のそれぞれを表示する場合の、当該画像における表示時間を、当該画像に被写体として含まれる人物の数がより多い場合に、より長い表示時間として設定する。画像に被写体として含まれる人物の数が多い場合、当該画像には、それぞれの人物の表情等、利用者が見たいと感じる点が多く含まれるので、被写体として含まれる人物の数が多い画像の表示時間を長くすることにより、利用者にとって見やすいスライドショーを表示することができる。
【００４３】
また、表示判定部１３０は、複数の画像が早送りして表示される場合に、複数の画像のそれぞれに対して、当該画像に被写体として含まれる人物の数がより多い場合に、より高い確率で当該画像が表示されると判定する。これにより、利用者が複数である場合に、それぞれの利用者が被写体として含まれている確率の高い画像である、被写体として含まれる人物の数がより多い画像を、より高い確率で表示することができるので、利用者にとって、より満足度の高いスライドショーを提供することができる。
【００４４】
なお、図２から図４にかけて説明した画像格納部１００のそれぞれは、単一の画像情報のみを画像に対応付けて格納しているが、これに変えて、画像格納部１００は、複数の画像情報を１つの画像に対応付けて格納していてもよい。
【００４５】
図５は、本発明の第１の実施形態に係る電子アルバム表示システム１０における処理の流れの一例を示すフローチャートである。まず、画像選択部１１０は、画像格納部１００に格納されている複数の画像のうち、それぞれの画像における画像情報の関連度が予め定められた基準値以上である、予め定められた表示スケジュールの順に表示される少なくとも一部の画像を、画像グループとして順次選択する（Ｓ１０００）。
【００４６】
そして、電子アルバム表示システム１０は、以降の処理を、画像選択部１１０により選択された画像グループ毎に繰り返す（Ｓ１０１０）。まず、表示判定部１３０は、早送り指示部１２０からの通知に基づいて、画像が早送りして表示されるか否かを判定する（Ｓ１０２０）。画像が早送りして表示されない場合（Ｓ１０２０：Ｎｏ）、表示判定部１３０は、当該画像グループに含まれるすべての画像に対して表示されると判定する（Ｓ１０３０）。一方、画像が早送りして表示される場合（Ｓ１０２０：Ｙｅｓ）、表示判定部１３０は、当該画像グループに含まれる画像毎に、当該画像が表示されるか否かを判定し、当該画像グループに含まれる画像のうち、一部の画像に対して表示されると判定すると共に、他の画像に対して表示されないと判定する（Ｓ１０４０）。ここで、表示判定部１３０は、例えば、当該画像グループに含まれる画像の数がより多い場合に、より多くの画像に対して表示されると判定してよい。また、表示判定部１３０は、例えば、図示しない入力手段を用いて利用者が入力する等して指定された、複数の画像の早送りの度合いを示す早送り倍率がより大きい程、当該画像グループに含まれる画像のそれぞれに対する、表示されると判定する確率を、より低くしてよい。例えば、表示判定部１３０が、当該画像グループに含まれる画像のそれぞれについて、乱数発生器により発生させた乱数が基準値以上であるならば、当該画像に対して表示されると判定する場合に、早送り倍率がより大きいほど、当該基準値をより大きくしてもよい。これにより、利用者が早送り倍率を制御することにより、スライドショー全体の表示時間が短縮される度合いを容易に制御することができる。
【００４７】
続いて、表示時間設定部１４０は、当該画像グループに含まれる、表示されると判定された画像のうち、最初に表示される画像における表示時間が、当該画像グループの直前に表示される、画像選択部１１０により選択された他の画像グループに含まれる画像における平均の表示時間より長くなるべく、当該画像グループに含まれる画像のそれぞれにおける表示時間を設定する（Ｓ１０５０）。ここで、表示時間設定部１４０は、例えば、当該画像グループに含まれる画像の数がより多い場合に、当該画像グループに含まれる画像における平均の表示時間がより短くなるべく、当該画像グループに含まれる画像のそれぞれにおける表示時間を設定してよい。こうすることにより、画像グループに含まれる画像の数が多い場合であっても、当該画像グループ全体の表示時間を、当該画像グループに比べて画像の数が少ない他の画像グループにおける表示時間と同じ程度に短くすることができる。従って、それぞれの画像グループに含まれる画像を利用者に見せながらも、スライドショー全体の表示時間が不要に長くなることを防止することができる。また、表示時間設定部１４０は、例えば、当該画像グループに含まれる画像のうち、最初に表示される画像、乃至は当該画像に続いて表示される、３枚等の予め定められた枚数の画像における表示時間を、他の画像の表示時間に比べて長く設定してもよい。また、表示時間設定部１４０は、例えば、当該画像グループに含まれる画像のうち、最初に表示される画像から、最後に表示される画像まで、表示時間を段階的に短くしてもよい。
【００４８】
続いて、画像表示部１５０は、当該画像グループに含まれる画像のうち、表示されると表示判定部１３０により判定された画像のそれぞれを、表示時間設定部１４０により設定された時間に従って、順次表示する（Ｓ１０６０）。そして、電子アルバム表示システム１０は、以上の処理を、画像選択部１１０により選択された画像グループ毎に繰り返す（Ｓ１０７０）。
【００４９】
図６は、本発明の第２の実施形態に係る電子アルバム表示システム２０の構成の一例を示すブロック図である。電子アルバム表示システム２０は、複数の画像を、例えばスライドショー等として順次表示する。電子アルバム表示システム１０は、例えば、パーソナルコンピュータ等の情報処理システムであってよく、また、例えば、フラッシュメモリ等の記録媒体に記録された画像データを順次映像信号として出力することのできる映像処理装置と、出力された映像信号を映像として表示することのできる、テレビ受像機等の表示装置とを含む、映像処理システムであってもよい。
【００５０】
本発明の第２の実施形態に係る電子アルバム表示システム２０は、複数の画像を早送りして表示する場合であっても、利用者にとって見やすいスライドショーを表示することを目的とする。
【００５１】
電子アルバム表示システム２０は、画像格納部２００、早送り倍率取得部２１０、画像選択部２２０、画像合成部２３０、及び画像表示部２４０を備える。画像格納部２００は、スライドショーにおいて表示される複数の画像を格納している。画像格納部２００は、例えば、ハードディスクドライブ等の記憶装置であってよく、また、フラッシュメモリ等の半導体記録媒体、ＣＤ−ＲＯＭ等の光学記録媒体、若しくはＭＯ等の光磁気記録媒体といった記録媒体を用いる記録装置であってもよい。早送り倍率取得部２１０は、例えば図示しない入力手段により利用者が入力した、画像格納部２００に格納されている複数の画像の表示における早送り倍率を取得する。そして、早送り倍率取得部２１０は、取得した早送り倍率を、画像選択部２２０に出力する。画像選択部２２０は、画像格納部２００に格納されている複数の画像のうち、早送り倍率がより大きい程、予め定められた表示スケジュールの順に表示される、より多くの画像を、同時に表示される画像として選択する。そして、画像選択部２２０は、選択した画像を、画像合成部２３０に出力する。画像合成部２３０は、画像選択部２２０により選択されたすべての画像を縮小すると共に、縮小したすべての画像を並べて、１枚の画像に合成する。そして、画像合成部２３０は、合成した画像を、画像表示部２４０に出力する。画像表示部２４０は、画像合成部２３０により合成された画像を順次表示する。
【００５２】
本発明の第２の実施形態に係る電子アルバム表示システム２０によれば、スライドショーにおいて画像を早送りして表示する場合であっても、それぞれの画像について、表示時間を短縮したり、非表示としたりすることなく、すべての画像を十分に長い表示時間で表示しながらも、スライドショー全体にかかる時間を短縮することができる。
【００５３】
図７は、本発明の第２の実施形態に係る画像合成部２３０における処理の一例を示す。図７（ａ）は、画像格納部２００に格納されている、予め定められたスケジュールの順に表示される画像の一例を示す。図７（ｂ）は、画像合成部２３０により合成された画像７４０の一例を示す。本例において、早送り倍率取得部は、早送り倍率を、例えば４倍として取得したとする。これを受けて、画像選択部２２０は、画像７００、画像７１０、画像７２０、及び画像７３０の４枚の画像を、同時に表示される画像として選択する。そして、画像合成部２３０は、公知の画像縮小技術を用いて、選択された画像のそれぞれを縮小すると共に、縮小した画像を並べて、画像７４０として合成する。
【００５４】
本例において、画像合成部２３０は、縦横ともに２つの画像を並べて１枚の画像に合成したが、画像を並べる方法は、本図に示した方法に限定されない。また、本例を、早送り倍率取得部が早送り倍率を４倍として取得し、画像選択部が４枚の画像を同時に表示される画像として選択する例を示したが、早送り倍率と選択される画像の枚数とは、必ずしも一致していなくともよい。しかし、例えば、複数の画像のそれぞれにおける表示時間が一様である場合等には、利用者が指定する早送り倍率と、同時に表示される画像として選択される画像の枚数を一致させることにより、スライドショー全体の表示時間を早送り倍率の逆数で短縮することができるので、利用者にとって理解しやすく、好ましい。
【００５５】
図８は、本発明の第２の実施形態に係る電子アルバム表示システム２０における処理の流れの一例を示すフローチャートである。まず、早送り倍率取得部２１０は、画像格納部２００に格納されている複数の画像の表示における早送り倍率を取得する（Ｓ１１００）。続いて、画像選択部２２０は、画像格納部２００に格納されている複数の画像のうち、早送り倍率がより大きい程、予め定められた表示スケジュールの順に表示される、より多くの画像を、同時に表示する画像として順次選択する（Ｓ１１１０）。ここで、画像選択部２２０は、早送り倍率取得部２１０により取得された早送り倍率が、例えば１倍等の等倍を示す画像であった場合、同時に表示する画像として、１枚の画像を順次選択する。
【００５６】
続いて、画像合成部２３０は、画像選択部２２０により選択されたすべての画像を縮小すると共に、縮小したすべての画像を並べて、１枚の画像に合成する（Ｓ１１２０）。ここで、画像合成部２３０は、選択された画像が１枚であった場合、つまり、早送り倍率が等倍であった場合には、選択された画像を縮小することなく、当該画像を表示するべき画像として画像表示部２４０に出力してよい。続いて、画像表示部２４０は、画像合成部２３０により合成された画像を表示する（Ｓ１１３０）。続いて、電子アルバム表示システム２０は、画像格納部２００に格納されている、スライドショーとして表示するべきすべての画像が、画像選択部２２０により既に選択された否かを判定する（Ｓ１１４０）。すべての画像が未だ選択されていないと判定した場合、電子アルバム表示システム２０は、処理をＳ１１１０に戻して、画像選択部２２０に画像を選択させる。
【００５７】
図９は、本発明の実施形態に係るコンピュータ１５００のハードウェア構成の一例を示すブロック図である。本発明の実施形態に係るコンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００５８】
ホスト・コントローラ１５８２は、ＲＡＭ１５２０と、高い転送レートでＲＡＭ１５２０をアクセスするＣＰＵ１５０５及びグラフィック・コントローラ１５７５とを接続する。ＣＰＵ１５０５は、ＲＯＭ１５１０及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００５９】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、コンピュータ１５００内のＣＰＵ１５０５が使用するプログラム及びデータを格納する。ＣＤ−ＲＯＭドライブ１５６０は、ＣＤ−ＲＯＭ１５９５からプログラム又はデータを読み取り、ＲＡＭ１５２０を介してハードディスクドライブ１５４０に提供する。
【００６０】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００６１】
ＲＡＭ１５２０を介してハードディスクドライブ１５４０に提供されるプログラムは、フレキシブルディスク１５９０、ＣＤ−ＲＯＭ１５９５、又はＩＣカード等の記録媒体に格納されて利用者によって提供される。プログラムは、記録媒体から読み出され、ＲＡＭ１５２０を介してコンピュータ１５００内のハードディスクドライブ１５４０にインストールされ、ＣＰＵ１５０５において実行される。コンピュータ１５００にインストールされて実行されるプログラムは、ＣＰＵ１５０５等に働きかけて、コンピュータ１５００を、図１から図８にかけて説明した電子アルバム表示システム１０または電子アルバム表示システム２０として機能させる。
【００６２】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをコンピュータ１５００に提供してもよい。
【００６３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６４】
【図１】本発明の第１の実施形態に係る電子アルバム表示システム１０の構成の一例を示すブロック図である。
【図２】本発明の第１の実施形態に係る画像格納部１００の第１の例を示す図である。
【図３】本発明の第１の実施形態に係る画像格納部１００の第２の例を示す図である。
【図４】本発明の第１の実施形態に係る画像格納部１００の第３の例を示す図である。
【図５】本発明の第１の実施形態に係る電子アルバム表示システム１０における処理の流れの一例を示すフローチャートである。
【図６】本発明の第２の実施形態に係る電子アルバム表示システム２０の構成の一例を示すブロック図である。
【図７】本発明の第２の実施形態に係る画像合成部２３０における処理の一例を示す図である。
【図８】本発明の第２の実施形態に係る電子アルバム表示システム２０における処理の流れの一例を示すフローチャートである。
【図９】本発明の実施形態に係るコンピュータ１５００のハードウェア構成の一例を示すブロック図である。
【符号の説明】
【００６５】
１０  電子アルバム表示システム、２０  電子アルバム表示システム、１００  画像格納部、１１０  画像選択部、１２０  早送り指示部、１３０  表示判定部、１４０  表示時間設定部、１５０  画像表示部、２００  画像格納部、２１０  早送り倍率取得部、２２０  画像選択部、２３０  画像合成部、２４０  画像表示部
【図１】
2005348371.tif 000003
【図２】
2005348371.tif 000004
【図３】
2005348371.tif 000005
【図４】
2005348371.tif 000006
【図５】
2005348371.tif 000007
【図６】
2005348371.tif 000008
【図７】
2005348371.tif 000009
【図８】
2005348371.tif 000010
【図９】
2005348371.tif 000011